(57)【要約】【課題】人間が使用する傘のように、雨に濡れた部分が、できる限り犬の体に直接的に接触しないで、犬に与える不快感が小さい犬用の傘を提供することを目的とする。【解決手段】犬の背に乗せる胴体部と、胴体部の中央の板部の上に立てられた支柱部と、支柱部の上に水平に設置された背柱部と、背柱に固定されたシート部と、胴体部に取り付けられたベルト部と、を備えた犬用の傘において、胴体部は犬の胴体に接触する側は滑り止め用ゴムが張られた布とし、胴体部を犬の胴体に取り付けるとシート部が背柱の両側に垂れ下がり、犬の体が雨にあたらないように犬用の傘を構成する。【選択図】図１
0003131009.tif 000002
【実用新案登録請求の範囲】
【請求項１】
犬の背に乗せる胴体部と、
前記胴体部の上に立てられた支柱部と、
前記支柱部の上に水平に設置された背柱部と、
背柱に固定されたシート部と、
前記胴体部に取り付けられたベルト部と、を有する犬用の傘において、
前記胴体部は犬の胴体に接触する側に滑り止め用ゴムが張られた布であって、中央には前記支柱を設置するための板部を有し、
前記支柱部は前記胴体部の前記板部の上に設置され、
前記背柱部は前記胴体部が犬の胴体に取り付けられたときに犬の背骨と略平行となるように前記支柱部に設置され、
前記シート部は前記胴体部が犬の胴体に取り付けられたときに、前記背柱の両側に垂れ下がり、犬の体を覆うことができる程度の大きさであることを特徴とする犬用の傘。
【請求項２】
請求項１に記載の犬用の傘において、
前記シート部は、前記背柱の片側のシートに切れ込みを有して、前記胴体部が犬の胴体に取り付けられたときに犬の首輪につながれた紐を、前記切れ込みに通して、犬を散歩させる人間が前記紐を引っ張れることを特徴とする犬用の傘。
【請求項３】
請求項１または２に記載の犬用の傘において、
前記シート部は透明な防水性を有するシートであり、
前記ベルト部は、先端に面ファスナーを有して、前記犬用の傘を簡単に犬の胴体に取り付けられることを特徴とする犬用の傘。
【請求項４】
請求項１乃至４のいずれかに記載の犬用の傘において、
前記シート部は、傘骨を有して、前記傘骨は前記背柱に交差するように設置され、前記シート部が犬の体の上で開き、前記シート部が犬の体に接しないように構成されていることを特徴とする犬用の傘。
【請求項５】
請求項４に記載の犬用の傘において、
前記傘骨はビニールが巻かれた針金であり、
前記支柱部は２本以上の支柱からなり、犬の頭側の支柱は犬の尾っぽ側の支柱よりも長く、前記背柱部が犬の頭に接触しにくいように構成されていることを特徴とする犬用の傘。 
【考案の詳細な説明】
【技術分野】
【０００１】
本考案は雨天の日に、犬を散歩させるときに好適な犬用の傘に関する。
【背景技術】
【０００２】
近年のペットブームにより、犬の散歩のために、犬を連れて散歩をする人々が多くなっている。
【０００３】
天気が悪く、雨が降っているような日には、人間であれば、散歩を控える場合が多いが、犬には、天候にかかわらず、適度の運動が必要であり、雨の日であっても、運動と欲求不満解消のために犬に散歩をさせることが必要である。人間用の傘は多種多様のものがあるが、犬用の傘は適当なものがない。犬の場合、犬が人のように手で傘を持つことはできないので、一般的には、カッパのように、犬の背にビニールを被せるものが多い。
【０００４】
しかしながら、カッパは犬の体にへばり付き、また、水に濡れると、更に犬の体に重くへばりつく。そのために、犬は、カッパをされることを嫌い、雨の中を濡れながら散歩をする場合が多い。
【特許文献１】登録実用新案公報−３０９４４７３
【考案の開示】
【考案が解決しようとする課題】
【０００５】
そこで、人間用の傘のように、雨に濡れた部分が、できる限り犬の体に直接接触しないで、犬に与える不快感が小さい犬用の傘を提供することを目的とする。
【課題を解決するための手段】
【０００６】
請求項１に記載された考案は、
犬の背に乗せる胴体部と、
前記胴体部の上に立てられた支柱部と、
前記支柱部の上に水平に設置された背柱部と、
背柱に固定されたシート部と、
前記胴体部に取り付けられたベルト部と、を有する犬用の傘であって、
前記胴体部は犬の胴体に接触する側は滑り止め用ゴムが張られた布であって、中央には前記支柱を設置するための板部を有し、
前記支柱部は前記胴体部の前記板部の上に設置され、
前記背柱部は前記胴体部が犬の胴体に取り付けられたときに犬の背骨と略平行となるように前記支柱部に設置され、
前記シート部は前記胴体部が犬の胴体に取り付けられたときに、前記背柱の両側に垂れ下がり、犬の体を覆うことができる程度の大きさであることを特徴とする。
【０００７】
また、請求項２に記載された考案は、請求項１に記載の犬用の傘に係り、
前記シート部は、前記背柱の片側のシートに切れ込みを有して、前記胴体部が犬の胴体に取り付けられたときに犬の首輪につながれた紐を、前記切れ込みに通して、犬を散歩させる人間が前記紐を引っ張れることを特徴とする。
【０００８】
シート部の片側のシートに切り込みを入れることにより、犬の首輪につながれた紐をシートを乱すことなく、散歩をさせる人間が引っ張れるようにするものである。
【０００９】
また、請求項３に記載された考案は、請求項１または２に記載の犬用の傘に係り、
前記シート部は透明な防水性を有するシートであり、
前記ベルト部は、先端に面ファスナーを有して、前記犬用の傘を簡単に犬の胴体に取り付けられることを特徴とする。
【００１０】
面ファスナーを使用することにより、犬用の傘を犬の胴体に簡単に着脱できることに着目したものである。
【００１１】
また、請求項４に記載された考案は、請求項１乃至４のいずれかに記載の犬用の傘に係り、
前記シート部は、傘骨を有して、前記傘骨は前記背柱に交差するように設置され、前記シート部が犬の体の上で開き、前記シート部が犬の体に接しないように構成されていることを特徴とする。
【００１２】
シート部に傘骨を設置することにより、シートを水平方向に広げてシートによって雨を防ぐ範囲を拡大することにより、犬の体にあたる雨の量を、さらに軽減するとともに、シートが犬の体に接することを防ぐものである。
【００１３】
また、請求項５に記載された考案は、請求項４に記載の犬用の傘に係り、
前記傘骨はビニールが巻かれた針金であり、
前記支柱部は２本以上の支柱からなり、犬の頭側の支柱は犬の尾っぽ側の支柱よりも長く、前記背柱部が犬の頭に接触しにくいように構成されていることを特徴とする。
【００１４】
ビニールが巻かれた針金は錆びにくく、安価で、細工がし易いことに着目したものである。さらに、犬の頭は胴体より高い位置にくるので、犬の頭側の支柱の長さを犬の尾っぽ側の支柱よりも長くして、傘のシート部が犬の頭に接触しないようにしたものである。
【考案の効果】
【００１５】
本発明に係る犬用の傘によれば、犬をつれて雨の中を散歩する場合においても、犬にあたる雨の量を減少させることができる。その結果、犬の健康の維持と、飼い主が犬の散歩が終わった後に、犬の体を清掃するための労力を低減できる。
【考案を実施するための最良の形態】
【００１６】
以下、図を参照しつつ、考案を実施するための最良の形態につき説明する。
（実施の形態１）
以下、図を参照して説明する。
【００１７】
図１は実施の形態１に係る犬用の傘である。
図１において、１０１は犬の胴体に取り付ける胴体部であり、１０６は胴体部の中央に設置されている板部であり、１０２は板部１０６に固定されている支柱部であり、１０３は支柱部１０２に固定されている背柱部であり、１０４は背柱部１０３に固定されているシート部であり、１０５は胴体部１０１に固定されているベルト部であり、１０７はベルト部に設置されている雄面ファスナーであり、１０８は雌面ファスナーであり、１０９はシート部のシートに設置した切り込みであり、１１０は犬の首輪に付けられた紐である。
【００１８】
胴体部１０１は布製であり、犬の胴体に接する側には滑り止め用のゴムが張られている。また、胴体部１０１には、犬の胴体に簡単に取り付けられるように面ファスナーを有するベルト部１０５が設置されている。胴体部の中央には板部１０６が犬の背骨に沿うように設置され、該板部１０６に支柱部１０２を固定し、更に支柱部１０２に背柱部１０３を固定し、背柱部１０３にシート部１０４を固定する。シート部１０４には、切り込みを入れることにより、該切り込みに犬の首輪に付けた紐を簡単に通すことができる。シート部の大きさの例としては、例えば、長辺が６０ｃｍで、短辺が５０ｃｍの矩形である。この場合には長辺が背柱部１０３と平行である。ベルト部は先端に面ファスナーを有することによって、設置および取り外しが簡単にできる。ただし、単なる紐であってもよい。また、雌面ファスナー１０８は設置しないで、胴体部１０１を構成する布地を雌面ファスナーの代わりにして、雄面ファスナーを該布地に着脱することもできる。
【００１９】
また、シート部は透明ビニールのように防水性を有した透明なシートが好適である。透明だと、犬がシートを通して回りを見ることができ、傘をつけることよって犬が感じる不快感を減少させることができるからである。
【００２０】
なお、板部１０６、支柱部１０２及び背柱部１０３の材料は木またはプラスチックが好適であるが、特に制限はない。
【００２１】
実施の形態１に係る犬用の傘を使用することにより、犬用のカッパのように、水に濡れるシート部が犬の体に接触することも少なく、犬は、快適に雨を避けることができる。また、犬をつれて散歩する人間も、犬の散歩が終わった後に、犬の体を清掃するための労力を低減できる。
【００２２】
（実施の形態２）
図２は実施の形態２に係る犬用の傘である。
図２において、２０２は犬の尾っぽ側の支柱であり、２０３は犬の頭側の支柱であり、２０１は背柱部１０３に固定された傘骨である。また、２０５及び２０６はともにベルト部であり、先端に雄面ファスナーが設置されている。
【００２３】
傘骨はビニールが巻かれた針金が好適である。形状の細工が容易であり、耐久性があり、錆びにくいからである。
【００２４】
実施の形態２に係る犬の傘が実施の形態１に係る犬の傘と異なる点は、犬の頭側の支柱２０３が犬の尾っぽ側の支柱２０２より長い点と、傘骨がある点である。犬の頭側の支柱２０３が犬の尾っぽ側の支柱２０２より長いことにより、背柱部は犬の頭側で犬の尾っぽ側より高くなり、背柱部１０３や、シート部１０４が犬の頭に接触しにくくなる。また、傘骨２０１が設置されていることにより、シートが実施の形態１に係る犬用の傘の場合よりも立体的に開き、シートが更に犬の体に接触しにくくなる。結果として、実施の形態２に係る犬用の傘は実施の形態１に係る犬用の傘よりも更に、犬に快適感を与えることができる。
【図面の簡単な説明】
【００２５】
【図１】実施の形態１に係る犬用の傘の構成を示す斜視図である。
【図２】実施の形態２に係る犬用の傘の構成を示す斜視図である。
【符号の説明】
【００２６】
１０１      胴体部
１０２      支柱部
１０３      背柱部
１０４      シート部
１０５      ベルト部
１０６      板部
１０７      雄面ファスナー
１０８      雌面ファスナー
１０９      切り込み部
１１０      紐
２０１      傘骨
２０２      支柱部
２０３      支柱部
２０５      ベルト部
２０６      ベルト部
【図１】
0003131009.tif 000003
【図２】
0003131009.tif 000004
【手続補正書】
【提出日】平成19年2月14日(2007.2.14)
【手続補正１】
【補正対象書類名】実用新案登録請求の範囲
【補正対象項目名】全文
【補正方法】変更
【補正の内容】
【実用新案登録請求の範囲】
【請求項１】
犬の背に乗せる胴体部と、
前記胴体部の上に立てられた支柱部と、
前記支柱部の上に水平に設置された背柱部と、
背柱に固定されたシート部と、
前記胴体部に取り付けられたベルト部と、を有する犬用の傘において、
前記胴体部は犬の胴体に接触する側に滑り止め用ゴムが張られた布であって、中央には前記支柱を設置するための板部を有し、
前記支柱部は前記胴体部の前記板部の上に設置され、
前記背柱部は前記胴体部が犬の胴体に取り付けられたときに犬の背骨と略平行となるように前記支柱部に設置され、
前記シート部は前記胴体部が犬の胴体に取り付けられたときに、前記背柱の両側に垂れ下がり、犬の体を覆うことができる程度の大きさであることを特徴とする犬用の傘。
【請求項２】
請求項１に記載の犬用の傘において、
前記シート部は、前記背柱の片側のシートに切れ込みを有して、前記胴体部が犬の胴体に取り付けられたときに犬の首輪につながれた紐を、前記切れ込みに通して、犬を散歩させる人間が前記紐を引っ張れることを特徴とする犬用の傘。
【請求項３】
請求項１または２に記載の犬用の傘において、
前記シート部は透明な防水性を有するシートであり、
前記ベルト部は、先端に面ファスナーを有して、前記犬用の傘を簡単に犬の胴体に取り付けられることを特徴とする犬用の傘。
【請求項４】
請求項１乃至３のいずれかに記載の犬用の傘において、
前記シート部は、傘骨を有して、前記傘骨は前記背柱に交差するように設置され、前記シート部が犬の体の上で開き、前記シート部が犬の体に接しないように構成されていることを特徴とする犬用の傘。
【請求項５】
請求項４に記載の犬用の傘において、
前記傘骨はビニールが巻かれた針金であり、
前記支柱部は２本以上の支柱からなり、犬の頭側の支柱は犬の尾っぽ側の支柱よりも長く、前記背柱部が犬の頭に接触しにくいように構成されていることを特徴とする犬用の傘。
【手続補正４】
【補正対象書類名】明細書
【補正対象項目名】００１１
【補正方法】変更
【補正の内容】
【００１１】
また、請求項４に記載された考案は、請求項１乃至３のいずれかに記載の犬用の傘に係り、
前記シート部は、傘骨を有して、前記傘骨は前記背柱に交差するように設置され、前記シート部が犬の体の上で開き、前記シート部が犬の体に接しないように構成されていることを特徴とする。